(57)【要約】【課題】ＣＰＵに対する負荷を増大させることなく、バンドの切替え制御を容易化することが可能なマルチバンド無線端末を提供する。【解決手段】周波数制御部２３は上位シーケンス部３から送られてくる周波数情報から各ＦＩＤに対応した周波数を割出し、その周波数情報をレジスタ変換部２２へ送る。レジスタ変換部２２は周波数制御部２３から送られてきた周波数情報をレジスタ値へ変換し、そのレジスタ値を３線シリアル信号発生部２１へ送る。３線シリアル信号発生部２１は送られてきたレジスタ値をデータ、クロック、ストローブの３線シリアル信号として無線送受信部１３，１４に同様のデータを同時に送出する。無線送受信部１３，１４は３線シリアル信号を受けることによって自回路でＯＮ／ＯＦＦを制御し、かつ設定された周波数の電波をアンテナ１１，１２から送信及び受信する。【選択図】      図１
2004274097.tif 000002
【特許請求の範囲】
【請求項１】
複数の周波数バンド各々に対応する複数の無線部を含み、前記複数の周波数バンドが使用可能なマルチバンド無線端末であって、
前記複数の周波数バンドのバンド切替え情報を前記無線部への周波数設定シリアル信号に追加する手段を有し、
前記複数の無線部が前記バンド切替え情報に応じてオンオフ制御を行うことを特徴とするマルチバンド無線端末。
【請求項２】
前記複数の周波数バンド各々において必要な周波数設定データを一つにまとめたことを特徴とする請求項１記載のマルチバンド無線端末。
【請求項３】
前記複数の無線部各々に対応する複数のアンテナと、前記複数のアンテナ各々を切替えるアンテナスイッチとを含み、前記複数の無線部各々のオンオフ制御に連動して前記アンテナスイッチが前記複数のアンテナ各々を切替えることを特徴とする請求項１または請求項２記載のマルチバンド無線端末。
【請求項４】
複数の周波数バンド各々に対応する複数の無線部を含み、前記複数の周波数バンドが使用可能なマルチバンド無線端末のバンド切替方法であって、前記複数の周波数バンドのバンド切替え情報を前記無線部への周波数設定シリアル信号に追加するステップを有し、前記バンド切替え情報に応じて前記複数の無線部にオンオフ制御を行わせることを特徴とするバンド切替方法。
【請求項５】
前記複数の周波数バンド各々において必要な周波数設定データを一つにまとめたことを特徴とする請求項４記載のバンド切替方法。
【請求項６】
前記複数の無線部各々に対応する複数のアンテナ各々の切替えをアンテナスイッチによって前記複数の無線部各々のオンオフ制御に連動して行わせることを特徴とする請求項４または請求項５記載のバンド切替方法。
【請求項７】
複数の周波数バンド各々に対応する複数の無線部を含み、前記複数の周波数バンドが使用可能なマルチバンド無線端末のバンド切替方法のプログラムであって、コンピュータに、前記複数の周波数バンドのバンド切替え情報を前記無線部への周波数設定シリアル信号に追加する処理を実行させ、前記バンド切替え情報に応じて前記複数の無線部にオンオフ制御を行わせるためのプログラム。
【発明の詳細な説明】
【０００１】
【発明の属する技術分野】
本発明はマルチバンド無線端末及びそれに用いるバンド切替方法並びにそのプログラムに関し、特にマルチバンド化に対応する無線携帯端末でのバンド切替え方法に関する。
【０００２】
【従来の技術】
近年、無線携帯端末においては、マルチバンド化が進んでいる。日本国内では８００Ｍ帯（ＰＤＣ：Ｐｅｒｓｏｎａｌ  Ｄｉｇｉｔａｌ  Ｃｅｌｌｕｌａｒ）と１．９Ｇ帯（ＰＨＳ：Ｐｅｒｓｏｎａｌ  Ｈａｎｄｙｐｈｏｎｅ  Ｓｙｓｔｅｍ）とのデュアルバンド端末が既に製品化され、今後も様々な周波数帯を持つマルチバンド端末が出てくることも予想される。
【０００３】
上記のデュアルバンド端末の構成例を図５に示す。図５において、デュアルバンド端末はバンド＃１に対応するアンテナ（ＡＮＴ＃１）１１及びＢａｎｄ（＃１）対応部５と、バンド＃２に対応するアンテナ（ＡＮＴ＃２）１２及びＢａｎｄ（＃２）対応部６と、バンド切替部７と、上位シーケンス３とから構成されている。
【０００４】
Ｂａｎｄ（＃１）対応部５は無線送受信部５１と、３線シリアル信号発生部５２と、レジスタ変換部５３と、周波数制御部５４と、周波数設定データ５５とから構成されている。Ｂａｎｄ（＃２）対応部６は無線送受信部６１と、３線シリアル信号発生部６２と、レジスタ変換部６３と、周波数制御部６４と、周波数設定データ６５とから構成されている。
【０００５】
バンド切替部７は上位シーケンス３からの指示に応じて無線送受信部５１，６１及び周波数制御部５４，６４を制御し、アンテナ（ＡＮＴ＃１）１１及びＢａｎｄ（＃１）対応部５、アンテナ（ＡＮＴ＃２）１２及びＢａｎｄ（＃２）対応部６のいずれかを動作させることでバンド切替えを行う（例えば、特許文献１参照）。
【０００６】
【特許文献１】
特開平１１−２５１９５１号公報（第４〜９頁、図１）
【０００７】
【発明が解決しようとする課題】
上述した従来のデュアルバンド端末では、使用するバンドによって無線部が変わるので、無線部の切替えと周波数設定とをＣＰＵ（中央処理装置）が行わなければならず、バンドの切替え制御が複雑化するという問題がある。
【０００８】
そこで、本発明の目的は上記の問題点を解消し、ＣＰＵに対する負荷を増大させることなく、バンドの切替え制御を容易化することができるマルチバンド無線端末及びそれに用いるバンド切替方法並びにそのプログラムを提供することにある。
【０００９】
【課題を解決するための手段】
本発明によるマルチバンド無線端末は、複数の周波数バンド各々に対応する複数の無線部を含み、前記複数の周波数バンドが使用可能なマルチバンド無線端末であって、
前記複数の周波数バンドのバンド切替え情報を前記無線部への周波数設定シリアル信号に追加する手段を備え、
前記複数の無線部が前記バンド切替え情報に応じてオンオフ制御を行っている。
【００１０】
本発明によるバンド切替方法は、複数の周波数バンド各々に対応する複数の無線部を含み、前記複数の周波数バンドが使用可能なマルチバンド無線端末のバンド切替方法であって、前記複数の周波数バンドのバンド切替え情報を前記無線部への周波数設定シリアル信号に追加するステップを備え、前記バンド切替え情報に応じて前記複数の無線部にオンオフ制御を行わせている。
【００１１】
本発明によるバンド切替方法のプログラムは、複数の周波数バンド各々に対応する複数の無線部を含み、前記複数の周波数バンドが使用可能なマルチバンド無線端末のバンド切替方法のプログラムであって、コンピュータに、前記複数の周波数バンドのバンド切替え情報を前記無線部への周波数設定シリアル信号に追加する処理を実行させ、前記バンド切替え情報に応じて前記複数の無線部にオンオフ制御を行わせている。
【００１２】
すなわち、本発明のマルチバンド無線端末は、バンド切替え情報を周波数設定シリアル信号に追加することによって、新たにバンド切替え部を必要とすることなく、バンド切替えを行うことが可能となる。
【００１３】
また、本発明のマルチバンド無線端末では、それぞれのバンドにおいて必要な周波数設定データを一つにまとめることによって、ＣＰＵ（中央処理装置）側として二つの無線部が一つに見えるようにすることが可能となる。
【００１４】
本発明のマルチバンド無線端末では、バンドによって使用可能な周波数が異なるので、その周波数情報のみで使用する無線部を無線部自体が判断し、ＣＰＵとしては周波数の設定のみを行うようにしている。これによって、本発明のマルチバンド無線端末では、ＣＰＵが複数の無線部をあたかも一つの大きなバンド幅を持った無線部として扱うことができるため、バンド切替え制御を容易に行うことが可能となる。
【００１５】
【発明の実施の形態】
次に、本発明の実施例について図面を参照して説明する。図１は本発明の一実施例によるデュアルバンド無線端末の構成を示すブロック図である。本発明の一実施例によるデュアルバンド無線端末は２つの周波数バンドが使用可能となっており、例えば２つのバンドＡ，Ｂが存在し、バンドＡからバンドＢへと切替えたい時に、周波数設定シリアル信号でバンド切替えを行い、どちらの無線部を使用するかは二つの無線部がそれぞれ判断する。
【００１６】
切替えるバンドが複数あるマルチバンド無線端末においても、この方法は応用可能である。また、無線送受信部に無線送受信のＯＮ／ＯＦＦとともに、アンテナスイッチ（ＡＮＴ  ＳＷ）を制御するコマンドを設定しておけば、アンテナスイッチの制御もＣＰＵを介さずに、無線部のみで行うことができる。
【００１７】
図１において、本発明の一実施例によるデュアルバンド無線端末は上位シーケンス部３と、ＣＰＵ部２と、無線送受信部（ＴＲＸ）（Ｂａｎｄ＃１，Ｂａｎｄ＃２）１３，１４と、アンテナ（ＡＮＴ＃１，ＡＮＴ＃２）１１，１２と、コンピュータで実行可能なプログラムを格納する記録媒体１５とから構成されている。
【００１８】
ＣＰＵ部２は周波数制御部２３と、レジスタ変換部２２と、３線シリアル信号発生部２１と、周波数設定データ２４とから構成されている。ＣＰＵ部２と、無線送受信部（Ｂａｎｄ＃１）１３及び無線送受信部（Ｂａｎｄ＃２）１４とは記録媒体１５に格納されたプログラムを実行可能なように構成されている。
【００１９】
ＣＰＵ部２では上位シーケンス部３から送られてくる周波数情報（ＦＩＤ：Ｆｒｅｑｕｅｎｃｙ  ＩＤｅｎｔｉｆｉｅｒ）を周波数制御部２３で受ける。周波数制御部２３は各ＦＩＤに対応した周波数を割出し、その周波数情報をレジスタ変換部２２へ送る。
【００２０】
レジスタ変換部２２は周波数制御部２３から送られてきた周波数情報をレジスタ値へ変換し、そのレジスタ値を３線シリアル信号発生部２１へ送る。３線シリアル信号発生部２１は送られてきたレジスタ値をデータ、クロック、ストローブの３線シリアル信号として無線送受信部（Ｂａｎｄ＃１）１３及び無線送受信部（Ｂａｎｄ＃２）１４に同様のデータを同時に送出するように構成されている。
【００２１】
無線送受信部（Ｂａｎｄ＃１）１３及び無線送受信部（Ｂａｎｄ＃２）１４は３線シリアル信号を受けることによって、それぞれの無線送受信部（Ｂａｎｄ＃１）１３及び無線送受信部（Ｂａｎｄ＃２）１４が自回路でＯＮ／ＯＦＦを制御し、かつ設定された周波数の電波をアンテナ（ＡＮＴ＃１，ＡＮＴ＃２）１１，１２から送信及び受信する。周波数の設定は送信部（ＴＸ）、受信部（ＲＸ）それぞれ個別に設定が必要であるが、本実施例ではそれらをまとめて記載している。また、無線送受信部（Ｂａｎｄ＃１）１３はＢａｎｄ＃１に対応し、無線送受信部（Ｂａｎｄ＃２）１４はＢａｎｄ＃２に対応している。
【００２２】
図２は図１の周波数設定データ２４の構成を示す図である。図２において、周波数設定データ２４はＦＩＤ「１」，「２」，「３」，「４」，「５」と周波数「８００」，「８０１」，「８０２」，「８０３」，「８０４」とを対応付けて格納するＢａｎｄ＃１のデータと、ＦＩＤ「１００」，「１０１」，「１０２」，「１０３」，「１０４」と周波数「１９００」，「１９０１」，「１９０２」，「１９０３」，「１９０４」とを対応付けて格納するＢａｎｄ＃２のデータとが一つにまとまったデータ形式となっている。
【００２３】
Ｂａｎｄ＃１の周波数設定データを送出する時にはそのデータの最後に「０」が追加され、Ｂａｎｄ＃２の周波数設定データを送出する時にはそのデータの最後に「１」が追加されてそれぞれレジスタ変換部２２に送られる。
【００２４】
図３は本発明の一実施例によるデュアルバンド無線端末の動作を示すフローチャートである。これら図１〜図３を参照して本発明の一実施例によるデュアルバンド無線端末の動作について説明する。尚、図３に示す処理はＣＰＵ部２と無線送受信部（Ｂａｎｄ＃１）１３及び無線送受信部（Ｂａｎｄ＃２）１４が記録媒体１５のプログラムを実行することで実現される。また、図３においては、無線送受信部（Ｂａｎｄ＃１）１３を第１の送受信部、無線送受信部（Ｂａｎｄ＃２）１４を第２の送受信部と表記している。
【００２５】
Ｂａｎｄ＃１を使用していたデュアルバンド無線端末が、Ｂａｎｄ＃２を使用するためバンドの切替えを行ったとする。この場合、Ｂａｎｄ＃１を使用している時、無線部においては無線送受信部（Ｂａｎｄ＃１）１３が立上がっており、無線送受信部（Ｂａｎｄ＃２）１４はＯＦＦ状態である。
【００２６】
バンドを切替えようとする時には、上位シーケンス部３から周波数情報ＦＩＤ＿２が周波数制御部２３へ送られる（図３ステップＳ１）。周波数制御部２３はそれぞれのＦＩＤに対応した周波数設定データ２４を持っているので、ＦＩＤ＿２に対応した周波数設定データを抜出してくる（図３ステップＳ２）。この時、周波数設定データの形式はＢａｎｄ＃１とＢａｎｄ＃２とで同様で、一つにまとまった形で格納されており、例えばＢａｎｄ＃１の周波数設定データはビットの最後が必ず「０」であり、Ｂａｎｄ＃２の周波数設定データはビットの最後が「１」であるとする（図２参照）。
【００２７】
ＣＰＵ部２側としてはバンドを切替えるために、無線送受信部（Ｂａｎｄ＃１）１３が立上がっており、無線送受信部（Ｂａｎｄ＃１）１３をＯＦＦにし、無線送受信部（Ｂａｎｄ＃２）１４を立上げ、無線送受信部（Ｂａｎｄ＃２）１４の周波数を設定するのではなく、単にＦＩＤ（周波数）を切替える動作のみを行う。
【００２８】
周波数制御部２３は抜き出してきたデータをレジスタ変換部２２へと送出する。レジスタ変換部２２は送られてきたデータをレジスタ値へと変換し（図３ステップＳ３）、３線シリアル信号発生部２１へ送出する。３線シリアル信号発生部２１は送られてきたレジスタ値を３線シリアルに変換し（図３ステップＳ４）、無線送受信部（Ｂａｎｄ＃１）１３及び無線送受信部（Ｂａｎｄ＃２）１４へ同様のデータを同時に送出する。この時、３線シリアル信号発生部２１から送られたデータはビットの最後が「１」（Ｂａｎｄ＃２）であったとする。
【００２９】
無線送受信部（Ｂａｎｄ＃１）１３及び無線送受信部（Ｂａｎｄ＃２）１４は同時に同様のシリアルデータを取得するが、今回送られてきたデータはビットの最後が「１」であるので、無線送受信部（Ｂａｎｄ＃１）１３はそれを検出すると同時に、自回路をＯＦＦにする動作を開始する（図３ステップＳ５，Ｓ８）。それと同時に、無線送受信部（Ｂａｎｄ＃２）１４は自回路をＯＮにする動作を開始する（図３ステップＳ９）。この動作が完了すれば、バンドの切替えが行われたことになる。
【００３０】
また、３線シリアル信号発生部２１から送られたデータのビットの最後が「０」（Ｂａｎｄ＃１）であったとすると、無線送受信部（Ｂａｎｄ＃１）１３及び無線送受信部（Ｂａｎｄ＃２）１４は同時に同様のシリアルデータを取得するが、今回送られてきたデータはビットの最後が「０」であるので、無線送受信部（Ｂａｎｄ＃２）１４はそれを検出すると同時に、自回路をＯＦＦにする動作を開始する（図３ステップＳ５，Ｓ６）。それと同時に、無線送受信部（Ｂａｎｄ＃１）１３は自回路をＯＮにする動作を開始する（図３ステップＳ７）。この動作が完了すれば、バンドの切替えが行われたことになる。
【００３１】
このように、本実施例では、それぞれの無線送受信部によって使用可能な周波数が異なるので、その周波数情報のみで使用する無線送受信部（Ｂａｎｄ＃１）１３及び無線送受信部（Ｂａｎｄ＃２）１４を無線送受信部（Ｂａｎｄ＃１）１３及び無線送受信部（Ｂａｎｄ＃２）１４自体がそれぞれ判断し、ＣＰＵ部２としては周波数の設定のみを行うようにしている。
【００３２】
これによって、本実施例では、ＣＰＵ部２が複数の無線送受信部（Ｂａｎｄ＃１）１３及び無線送受信部（Ｂａｎｄ＃２）１４をあたかも一つの大きなバンド幅を持った無線部として扱うことができるため、バンド切替え制御を容易に行うことができる。
【００３３】
図４は本発明の他の実施例によるデュアルバンド無線端末の部分的な構成例を示すブロック図である。図４において、本発明の他の実施例によるデュアルバンド無線端末はアンテナ（ＡＮＴ＃１，ＡＮＴ＃２）１１，１２の切替えを行うためのアンテナスイッチ（ＡＮＴ  ＳＷ）４１をアンテナ（ＡＮＴ＃１，ＡＮＴ＃２）１１，１２と無線送受信部（Ｂａｎｄ＃１）１３及び無線送受信部（Ｂａｎｄ＃２）１４との間に配置した以外は、図１に示す本発明の一実施例によるデュアルバンド無線端末と同様の構成となっており、同一構成要素には同一符号を付してある。
【００３４】
本発明の他の実施例によるデュアルバンド無線端末においては、アンテナスイッチ４１の論理を無線送受信部（Ｂａｎｄ＃１）１３及び無線送受信部（Ｂａｎｄ＃２）１４のＯＮ／ＯＦＦに連動するように設定しておけば、アンテナスイッチ４１の制御もＣＰＵ部２を介さずに行うことができる。
【００３５】
上述した本発明の一実施例及び他の実施例ではデュアルバンド無線端末について説明したが、上述した方法は、デュアルバンド無線端末に限らず、マルチバンドの無線端末にも適用可能であり、これに限定されない。
【００３６】
【発明の効果】
以上説明したように本発明は、上述した構成及び動作とすることで、ＣＰＵに対する負荷を増大させることなく、バンドの切替え制御を容易化することができるという効果が得られる。
【図面の簡単な説明】
【図１】本発明の一実施例によるデュアルバンド無線端末の構成を示すブロック図である。
【図２】図１の周波数設定データの構成を示す図である。
【図３】本発明の一実施例によるデュアルバンド無線端末の動作を示すフローチャートである。
【図４】本発明の他の実施例によるデュアルバンド無線端末の部分的な構成例を示すブロック図である。
【図５】従来のデュアルバンド無線端末の構成を示すブロック図である。
【符号の説明】
２  ＣＰＵ部
３  上位シーケンス部
１１  アンテナ（ＡＮＴ＃１）
１２  アンテナ（ＡＮＴ＃２）
１３  無線送受信部（Ｂａｎｄ＃１）
１４  無線送受信部（Ｂａｎｄ＃２）
１５  記録媒体
２１  ３線シリアル信号発生部
２２  レジスタ変換部
２３  周波数制御部
２４  周波数設定データ
４１  アンテナスイッチ
【図１】
2004274097.tif 000003
【図２】
2004274097.tif 000004
【図３】
2004274097.tif 000005
【図４】
2004274097.tif 000006
【図５】
2004274097.tif 000007